(57)【要約】【課題】本発明は、エアレスガンにおける塗料の吐出量調整機構により、被塗物の形状や狭隘間隔等に対応した吐出量の微量調整を塗装作業員が適宜行って、鉄塔の碍子装置金具の塗装作業を効率良く行うことができるエアレス塗装装置を提供する。【解決手段】本発明は、燃料タンク内の塗料を加圧した状態で供給ホースに送り、供給ホースの先端に取り付けたエアレスガンを介して塗料を吐出するエアレス塗装装置において、エアレスガンは、塗料の吐出量調整機構を備えている。また、エアレスガンは、先端側部分に握力式レバーを用いた塗料の吐出機構を備え、供給ホースが接続される基端側部分に塗料の吐出量調整機構を備えている。さらに、塗料の吐出量調整機構は、供給ホースが接続されて塗料が送り込まれるバルブ筐体と、バルブ筐体内において、エアレスガンに送り込む塗料の量を調整するネジ式進退構造を用いたニードルバルブにより構成されている。【選択図】図２
2009142725.tif 000002
【特許請求の範囲】
【請求項１】
塗料タンク内の塗料を加圧した状態で供給ホースに送り、供給ホースの先端に取り付けたエアレスガンを介して塗料を吐出するエアレス塗装装置において、エアレスガンは、塗料の吐出量調整機構を備えていることを特徴とするエアレス塗装装置。
【請求項２】
エアレスガンは、先端側部分に握力式レバーを用いた塗料の吐出機構を備え、供給ホースが接続される基端側部分に塗料の吐出量調整機構を備えている請求項１に記載のエアレス塗装装置。
【請求項３】
塗料の吐出量調整機構は、供給ホースが接続されて塗料が送り込まれるバルブ筐体と、バルブ筐体内において、エアレスガンに送り込む塗料の量を調整するネジ式進退構造を用いたニードルバルブにより構成されている請求項１または２に記載のエアレス塗装装置。
【請求項４】
バルブ筐体は、供給ホースから塗料が送り込まれる円形の直線状流路と、この直線状流路に連設したニードルバルブ保持流路を有し、このニードルバルブ保持流路から横方向に分岐して、エアレスガンに塗料を送り込む分岐状流路を備えている請求項３に記載のエアレス塗装装置。
【請求項５】
ニードルバルブは、バルブ筐体の直線状流路に沿って挿入される円錐突起体を備えている請求項３または４に記載のエアレス塗装装置。
【発明の詳細な説明】
【技術分野】
【０００１】
本発明は、主として鉄塔の碍子装置金具等を塗装する際に使用する、エアレス塗装装置である。
【０００２】
具体的には、エアレスガンにおける塗料の吐出量調整機構により、被塗物の形状や狭隘間隔等に対応した吐出量の微量調整を塗装作業員が適宜行って、鉄塔の碍子装置金具の塗装作業を効率良く行うことができるエアレス塗装装置に関するものである。
【背景技術】
【０００３】
近年、高架送電線用の鉄塔上における碍子装置金具が、経年劣化等により発錆した場合の対策として、発錆した碍子装置全体を取り外して、新しい碍子装置に取り替える措置が採られている。
【０００４】
そして、多導体設備用の碍子装置の場合においては、この碍子装置の取り替えに膨大な費用を要することから、これを抑制するために、作業員が刷毛を使って碍子装置の塗装を行う措置が考えられる。
【０００５】
また、碍子装置の塗装を行う際に、塗料タンク内の塗料を加圧した状態で供給ホースに送り、供給ホースの先端に取り付けたエアレスガンを介して塗料を吐出するエアレス塗装装置を利用することも予想される。
【０００６】
このエアレス塗装装置としては、例えば、特許文献１に開示されているように、引金によってニードル弁を作動させて塗料の吐出量を調整するエアレススプレーガンのニードル弁機構という技術が存在する。
【０００７】
また、特許文献２に開示されているように、主弁座を設けたスプレー管と、スプレー物質用の接続管との流路の開閉を、主弁座に配属されていて主弁ハウジング内に移動可能に支承されている主弁部材を引金レバーによって作動させて、塗料の吐出量を調整する高圧スプレーガンという技術が存在する。
【０００８】
さらに、特許文献３に開示されているように、スプレーの開口から噴出する液体の噴霧量を調節するための弁部材を、ノズルの先端側に備えている調節スプレーノズルという技術が存在する。
【特許文献１】実公昭４２−１７７４５号公報
【特許文献２】特公昭４４−１１２７７号公報
【特許文献３】特開昭５１−７７９１１号公報
【発明の開示】
【発明が解決しようとする課題】
【０００９】
しかしながら、作業員が刷毛を使って碍子装置の塗装を行おうとした場合、碍子装置金具が複数の金具を連結した構成となっていることから、この連結部分に狭隘部としての隙間が存在することとなる。
【００１０】
そして、作業員の刷毛を使った塗装においては、この連結部分に存在する狭隘部としての隙間に刷毛が進入できないことから、刷毛を使った塗装が困難である部位や、塗装することができない部位が存在してしまう。
【００１１】
また、塗料タンク内の塗料を、加圧器とエアレス装置等を介して加圧した状態で供給ホースに送り、供給ホースの先端に取り付けたエアレスガンを介して塗料を吐出するエアレス塗装装置を利用した場合、碍子装置金具が存在する鉄塔における塗装作業になることから、作業箇所が、塗料タンクと加圧器を備えているエアレス装置が存在する場所から離れている場合が多い。
【００１２】
具体的には、碍子装置金具は、鉄塔の腕金部の先端や、さらに碍子連を介して電線取り付け箇所に設置されていることから、この碍子装置の塗装作業を行う箇所が、塗料タンクと加圧器を備えているエアレス装置が存在する場所から必然的に離れてしまうのである。
【００１３】
そして、鉄塔における通常の塗装作業においては、アングル材や鋼管材等の被塗物が大きく、また、平坦な状態である為に、塗料タンクと加圧器を備えているエアレス装置が存在する側において、塗料の吐出量を予め調整してから塗装作業を行っている。この通常の塗装作業では、作業中に塗料の吐出量の調整を行う頻度は極めて少ない。
【００１４】
これに対し、鉄塔における碍子装置の塗装作業の場合、碍子装置金具が複雑に組み合わされている被塗物であり、狭隘箇所が多く存在することとなる。
【００１５】
その為、この様な狭隘部の塗装においては、塗料の吐出量を微少量に調整し、また、被塗物の形状や狭隘間隔等に応じて、さらに吐出量の微調整が必要となる。
【００１６】
この様な場合、従来の方式では、塗装作業員が、加圧器等を操作する作業員に合図を送り、加圧器等を操作する作業員がその場で塗料の吐出量を調整して塗装作業が行われていた。
【００１７】
しかし、塗装作業員の合図により、被塗物の形状や狭隘間隔等に対応した吐出量の微量調整を、他の作業員が行うのは非常に困難であることから、塗装作業員の疲労要因となり、また、塗装作業全体の作業効率を悪くする要因ともなっていた。
【００１８】
加えて、碍子装置の塗装作業の場合、碍子装置金具が複雑に組み合わされている被塗物であり、狭隘部と平坦な箇所が混在する為、これらを塗装する場合には、塗料の吐出量を大きく増減させなければならない。
【００１９】
そして、分岐バルブを介して分配されたエアレスガンの吐出量は、主として、加圧器等を操作する作業員がその場で調整しているので、従来の方式では、一台のエアレス塗装装置により、分配された個々のエアレスガンを使用して、狭隘部と平坦な箇所の塗装を同時に行うことができなかった。
【００２０】
さらに、従来のエアレス塗装装置においては、エアレスガンの握力式レバーを操作して、塗料の吐出量を若干調整できるものの、塗料を高圧にして送り込んでいる状況下では吐出量の調整について期待できないのが実状であり、現実的には、加圧器等を操作する作業員がその場で塗料の吐出量を調整することが主となっていた。
【００２１】
その為、塗装作業員による被塗物の形状や狭隘間隔等に対応した吐出量の微量調整を行うことが、強く望まれていた。
【００２２】
この他、特許文献１に開示されている、引金によってニードル弁を作動させて塗料を吐出するエアレススプレーガンのニードル弁機構においては、引金の引き動作加減によって塗料の吐出量を若干調整できるものの、被塗物の形状や狭隘間隔等に対応した吐出量の微量調整は現実的に困難であることから、鉄塔の碍子装置金具の塗装作業を効率良く行うことはできない。
【００２３】
さらに、特許文献２に開示されている技術においては、主弁ハウジング内に移動可能に支承されている主弁部材を引金レバーによって作動させることで塗料の吐出量を若干調整できるものの、被塗物の形状や狭隘間隔等に対応した吐出量の微量調整は現実的に困難であり、特許文献１に開示されている技術と同様の弊害が生じている。
【００２４】
また、特許文献３に開示されている技術においては、ノズル先端側に備えた弁部材により、スプレー開口から噴出する液体の噴霧量を調節するだけで、塗料の送り込み量調整機構が備え付けられていないことから、被塗物の形状や狭隘間隔等に対応した吐出量の微量調整は現実的に困難であり、特許文献１に開示されている技術と同様の弊害が生じている。
【００２５】
そこで、本発明は如上のような従来存した諸事情に鑑み創出されたもので、エアレスガンにおける塗料の吐出量調整機構により、被塗物の形状や狭隘間隔等に対応した吐出量の微量調整を塗装作業員が適宜行って、種々の部材が複雑に組み合わされている鉄塔の碍子装置金具の塗装作業を効率良く行うことができるエアレス塗装装置を提供することを目的とする。
【課題を解決するための手段】
【００２６】
本発明は、塗料タンク内の塗料を加圧した状態で供給ホースに送り、供給ホースの先端に取り付けたエアレスガンを介して塗料を吐出するエアレス塗装装置において、エアレスガンは、塗料の吐出量調整機構を備えていることで、上述した課題を解決した。
【００２７】
また、エアレスガンは、先端側部分に握力式レバーを用いた塗料の吐出機構を備え、供給ホースが接続される基端側部分に塗料の吐出量調整機構を備えていることで、同じく上述した課題を解決した。
【００２８】
さらに、塗料の吐出量調整機構は、供給ホースが接続されて塗料が送り込まれるバルブ筐体と、バルブ筐体内において、エアレスガンに送り込む塗料の量を調整するネジ式進退構造を用いたニードルバルブにより構成されていることで、同じく上述した課題を解決した。
【００２９】
また、バルブ筐体は、供給ホースから塗料が送り込まれる円形の直線状流路と、この直線状流路に連設したニードルバルブ保持流路を有し、このニードルバルブ保持流路から横方向に分岐して、エアレスガンに塗料を送り込む分岐状流路を備えていることで、同じく上述した課題を解決した。
【００３０】
加えて、ニードルバルブは、バルブ筐体の直線状流路に沿って挿入される円錐突起体を備えていることで、同じく上述した課題を解決した。
【発明の効果】
【００３１】
本発明は、塗料タンク内の塗料を加圧した状態で供給ホースに送り、供給ホースの先端に取り付けたエアレスガンを介して塗料を吐出するエアレス塗装装置において、エアレスガンは、塗料の吐出量調整機構を備えていることから、被塗物の形状や狭隘間隔等に対応した吐出量の微量調整を塗装作業員が適宜行って、種々の部材が複雑に組み合わされている鉄塔の碍子装置金具の塗装作業を効率良く行うことができる。
【００３２】
即ち、鉄塔における碍子装置の塗装作業の場合、碍子装置金具が複雑に組み合わされている被塗物であり、狭隘箇所が多く存在することから、塗料の吐出量を微少量に調整し、また、被塗物の形状や狭隘間隔等に応じて、さらに吐出量の微調整が必要となる。
【００３３】
その為、本発明に係るエアレス塗装装置により、被塗物と吐出量の状態を確認しながら、吐出量の微量調整を塗装作業員自身により適宜行って、碍子装置金具を効率良く塗装できるようにしたのである。
【００３４】
また、従来のように塗装作業員が合図を送り、加圧器等を操作する作業員がその場で塗料の吐出量を調整する面倒な工程を省いて、塗装作業全体の作業効率を向上させている。
【００３５】
これは、同時に、塗装作業員の疲労を軽減させることにもなる。その為、作業員が必要以上に疲労することがなく、高架送電線用の鉄塔上における高所において、碍子装置金具の塗装作業を継続して行うことができる。
【００３６】
また、作業員の疲労を排除して、作業員の集中力も好ましい状態で維持されるため、高所における碍子装置金具の塗装作業を安全に行うことができる。
【００３７】
さらに、本発明に係るエアレス塗装装置により、種々の部材が複雑に組み合わされている碍子装置金具において、分岐バルブを介して分配された個々のエアレスガン毎に吐出量の微量調整を塗装作業員自身が適宜行って、狭隘部の塗装と、平坦な箇所の塗装を、個々のエアレスガンにより同時に行うことができる。
【００３８】
すなわち、加圧器等を操作してエアレスガンに送り込む塗料の量を多くしている状態であっても、エアレスガンの吐出量調整機構により、塗料を微少吐出量まで調整できるため、エアレスガンに送り込む塗料の量を予め適切なものに調整しておくことで、作業中に加圧器等を操作することなく、個々のエアレスガンにより、狭隘部の塗装と、平坦な箇所の塗装を、同時に行うことができるのである。
【００３９】
さらに、エアレスガンは、先端側部分に握力式レバーを用いた塗料の吐出機構を備え、供給ホースが接続される基端側部分に塗料の吐出量調整機構を備えていることから、被塗物と吐出量の状態を確認しながら吐出量調整機構を操作し、吐出量の微量調整を塗装作業員自身により適宜行って、碍子装置金具を効率良く塗装できるのである。
【００４０】
また、塗料の吐出量調整機構により、エアレスガンから吐出する塗料の量を微少量に調整できるため、例えば、碍子装置金具の連結部分における狭隘部としての隙間に必要以上の塗料を吐出してしまう事態を回避できる。
【００４１】
加えて、エアレスガンから吐出する塗料の量を微少量に調整することで、狭隘部としての隙間に、好ましい量の塗料だけを集中的に吹き付けることができるのである。
【００４２】
また、塗料の吐出量調整機構は、供給ホースが接続されて塗料が送り込まれるバルブ筐体と、バルブ筐体内において、エアレスガンに送り込む塗料の量を調整するネジ式進退構造を用いたニードルバルブにより構成されていることから、ニードルバルブを操作して、エアレスガンから吐出する塗料の量を塗装作業員により簡単に調整できる。
【００４３】
その為、被塗物が狭隘箇所であるときは塗料の吐出量を微少量に調整し、また、被塗物が平坦な箇所であるときは吐出量を多く調整することで、碍子装置金具を効率良く塗装できるようにしたのである。
【００４４】
この他、バルブ筐体は、供給ホースから塗料が送り込まれる円形の直線状流路と、この直線状流路に連設したニードルバルブ保持流路を有し、このニードルバルブ保持流路から横方向に分岐して、エアレスガンに塗料を送り込む分岐状流路を備えていることから、高圧力の塗料による負荷がエアレスガンに直接掛かる事態を回避することができる。
【００４５】
また、ニードルバルブは、バルブ筐体の直線状流路に沿って挿入される円錐突起体を備えていることから、ニードルバルブを進退させ、円錐突起体の周面により、バルブ筐体の直線状流路を開かせたり閉じたりすることにより、エアレスガンに送り込む塗料の量を調整することができる。
【００４６】
即ち、ニードルバルブの円錐突起体により、直線状流路の断面を連続的に変えて、塗料の流量をコントロールする絞り弁としての機能を発揮するのである。
【００４７】
また、ニードルバルブの円錐突起体により、直線状流路の断面を連続的に変えて塗料の流量をコントロールするため、塗料の送り込み量の微調整を正確に行うことができる。
【００４８】
さらに、ニードルバルブの円錐突起体を、バルブ筐体の直線状流路に、直線的に挿入することから、直線状流路の断面を連続的に変えることができると共に、高圧力の塗料のニードルバルブに対する抵抗力を極力低減させることができる。
【発明を実施するための最良の形態】
【００４９】
以下に、本発明を実施するための最良の形態を、図面を参照して説明する。
【００５０】
本発明に係るエアレス塗装装置は、塗料タンク内の塗料を加圧した状態で供給ホースＰに送り、供給ホースＰの先端に取り付けたエアレスガン１を介して塗料を吐出するもので、エアレスガン１は、先端側部分に握力式レバー８を用いた塗料の吐出機構１５を備え、供給ホースＰが接続される基端側部分に塗料の吐出量調整機構１８を備えている。
【００５１】
具体的には、小型のエアレス装置を鉄塔上における塔体部（腕金部）に設置し、塗料タンク内の高粘度の塗料を加圧器により加圧してから、小型エアレス装置に接続した分岐バルブによって接続された供給ホースＰを介して碍子連の先（および手前）にある碍子装置金具まで塗料を圧送して、複数の作業者が所持しているそれぞれのエアレスガン１に塗料を送り込むものである。
【００５２】
尚、塗料タンク内の高粘度の塗料を加圧器により加圧してから、エアレス装置により高所作業場まで塗料を揚上し、高所作業場に設置している分岐バルブに接続された供給ホースＰを介して、複数の作業者が所持しているそれぞれのエアレスガン１に塗料を送り込むものであっても良い。
【００５３】
そして、握力式レバー８による吐出機構１５より、エアレスガン１の先端部に取り付けたジェットノズル７から塗料を吐出させるのである。
【００５４】
また、図１・図２に示すように、ジェットノズル７と手元バルブ５との間に設けている握力式レバー８を作業員が握り込み、エアレスガン１の手元バルブ５を開弁させて、ジェットノズル７から所定量の塗料を吐出させるのである。
【００５５】
このとき、図２に示すように、エアレスガン１のグリップ部９内に存在する塗料流路１３の先端開口部にシリンダー２の開口部を連通させ、このシリンダー２内に配したピストン型の弁座３が、弁バネ６を介して接続パイプ１２の先端開口部を常時閉塞するように付勢されている。
【００５６】
そして、手元バルブ５の筐体外壁面に、握力式レバー８が揺動可能に枢着され、この握力式レバー８と前記弁座３を、プランジャー４を介して連結させている。
【００５７】
従って、握力式レバー８を握り込んでグリップ部９側に移動させることで、弁座３は弁バネ６に抗して上方向に押し上げられ、接続パイプ１２の先端開口部が開放されて、加圧された塗料がシリンダー２内を通ってジェットノズル７から吐出されるのである。
【００５８】
また、図１に示すように、グリップ部９と握力式レバー８を囲うようにして、保護枠部１０を架設している。
【００５９】
さらに、図１に示すように、握力式レバー８には、回転フック式のストッパー部１１を設けている。このストッパー部１１は、エアレスガン１を使用しないときに、ジェットノズル７から不用意に塗料が吐出しないようにするために、自身を仮固定するものである。
【００６０】
エアレスガン１に取り付けているジェットノズル７は、図１・図２に示すように、細長のパイプ状に形成されている。
【００６１】
このジェットノズル７は、碍子装置金具の連結部分としての狭隘部に進入させ、狭隘部に塗料を噴出して塗装を行うものである。
【００６２】
そして、図２に示すように、ジェットノズル７は、その基端部に円柱部分７ａを連設し、この円柱部分７ａの基端部に円形突出部分７ｂを設けている。このジェットノズル７は、円筒状に形成されたジョイント部７０を介してエアレスガン１に取り付けられている。
【００６３】
このジョイント部７０は、円筒の基端側における内周面に雌ネジ溝を設けている。また、円筒の先端側には、内向きの係合片７０ａを設けている。さらに、エアレスガン１の先端部分には、雄ネジ溝を設けている。
【００６４】
そして、ジョイント部７０にジェットノズル７を挿入し、ジェットノズル７の円形突出部分７ｂとジョイント部７０の係合片７０ａを当接させた状態で、ジョイント部７０の雌ネジ溝とエアレスガン１の雄ネジ溝を螺合させ、エアレスガン１にジェットノズル７を取り付けているのである。
【００６５】
また、図３・図４に示すように、ジェットノズル７に変えて、スプレーノズル８０をエアレスガン１に取り付けても良い。このスプレーノズル８０は、図３に示すように、エアレスガン１の先端部分に設けられている所定の回転部材８１と、この回転部材８１に取り付けられるエアレスチップ８２により構成されている。回転部材８１は、その側面にエアレスチップ８２を挿入する孔８３を有している。
【００６６】
エアレスチップ８２は、図５に示すように、所定の長さの円柱状部分８４を備え、その中央に塗料の吐出口８５を有している。また、円柱状部分８４には、略Ｔ字状に形成された操作片８６が連設されている。塗料の吐出口８５は、例えば、図６に示すように、エアレスチップ８２を横にした状態で塗料を吐出した際に、縦方向において幅広に拡散し、横方向には狭い幅を有するようにしている。その為、スプレーノズル８０は、平坦な部分の塗装に適したものとなる。
【００６７】
また、回転部材８１には、図３に示すように、略台形の枠部１４を、対向するように２個設けている。この２個枠部１４は、互いに先端側の離隔距離を大きくするように、傾斜状に固定されている。
【００６８】
そして、塗装作業員は、平坦な部分を塗装するときに、回転部材８１を回転させ、幅広に拡散する塗料の吐出方向を適宜変えて、塗装を行うのである。
【００６９】
尚、エアレスチップ８２は、その吐出口８５の口径や、吐出口８５のパターン幅（切り込みの有無および切り込み角度）により、塗料の拡散角度が決定されるもので、塗装作業においては、被塗物の状態に適したエアレスチップ８２が適宜選択されるのである。
【００７０】
また、枠部１４は、エアレスチップ８２部分を保護する機能と、パターン方向（縦パターンｏｒ横パターン）の目安がつけられる機能を有している。
【００７１】
この他、吐出する塗料の状態がノズルの先端チップの口径により異なることは、ジェットノズル７も同様である。
【００７２】
ジェットノズル７の場合、口径が０．３ｍｍ〜２．０ｍｍ（好ましくは０．５ｍｍ〜１．０ｍｍ）であり、塗料の組成（防錆顔料の大きさ等）や粘性により選択される。ジェットノズル７には、先端の切り込みが存在しないことから、広角的な塗装には不向きとなる。また、吐出状態は、拡散したスプレー状ではなく、連続的および直線的な吐出状態となる。
【００７３】
一方、スプレーノズル８０は、一般的に口径が０．１ｍｍ〜１．４ｍｍであり、塗料の組成（防錆顔料の大きさ等）や粘性により選択される。スプレーノズル８０において、先端部に切り込みがない場合は、円状の吐出状態となる。また、先端部に切り込みがある場合には、その角度により、楕円状の広角的スプレー塗装パターンを形成するものである。
【００７４】
そして、ニードルバルブ１７の円錐突起体４０を操作して、塗料の流量を少なくすると、エアレスガン１内の圧力は低下する。この場合、吐出する塗料の量は少なく、塗出圧力も低いものとなる。
【００７５】
この様な状態のエアレスガン１にジョットノズル７を装着した場合には、連続的および直線的な塗料の吐出を繰り返し行うことが可能となる。
【００７６】
また、この様な状態のエアレスガン１にスプレーノズル８０を装着した場合に
は、エアレスガン１内の圧力が低くなって広角的なスプレー塗装ができず、スプレーノズル８０においても連続的および直線的な塗料の吐出になる。ジェットノズル７との差異は、ジェットノズル７の方が狭隘箇所に塗装し易いということになる。
【００７７】
一方、ニードルバルブ１７の円錐突起体４０を操作して、塗料の流量を多くすると、エアレスガン１内の圧力は高くなる。この場合、吐出する塗料の量は多く、塗出圧力も高いものとなる。
【００７８】
この様な状態のエアレスガン１にジョットノズル７を装着した場合には、口径および塗料圧力にもよるが、若干、不連続的かつ狭角的な塗料の塗出傾向になる。この場合には、狭隘箇所の塗装ができず、平坦な塗装箇所においても均一な塗装が困難である。
【００７９】
また、この様な状態のエアレスガン１にスプレーノズル８０を装着した場合には、エアレスガン１内の圧力が高くなり、広角的なスプレー塗装が可能となる。ジェットノズル７との差異は、スプレーノズル８０の方が平坦な塗装箇所に塗装し易いということになる。
【００８０】
さらに、図１乃至図４に示すように、供給ホースＰとエアレスガン１との接続部位には、ニードルバルブ１７を用いた塗料の吐出量調整機構１８を備えている。
【００８１】
そして、図１に示すように、吐出量調整機構１８による塗料の所定量の送り込みを前提として、前記握力式レバー８による吐出機構１５により、エアレスガン１のジョットノズル７から塗料を吐出するのである。また、図３・図６に示すように、エアレスガン１のスプレーノズル８０から塗料を吐出するのである。
【００８２】
尚、握力式レバー８は、主として塗料の吐出の開始と停止を操作するものである。エアレスガン１のノズル７から吐出する塗料の量は、塗料の吐出量調整機構１８により定まるもので、握力式レバー８の握り込みの程度に左右されるものではない。
【００８３】
塗料の吐出量調整機構１８は、図１・図３に示すように、エアレスガン１のグリップ部９の下方に連設されている。具体的には、グリップ部９と供給ホースＰの間に存在するのである。
【００８４】
塗料の吐出量調整機構１８は、図７に示すように、塗料が送り込まれるバルブ筐体１９と、バルブ筐体１９内において、エアレスガン１に送り込む塗料の量を調整するニードルバルブ１７により構成されている。このニードルバルブ１７は、図７乃至図９に示すように、ネジ式進退構造を用いている。
【００８５】
バルブ筐体１９は、図８・図９に示すように、供給ホースＰから塗料が送り込まれる円形の直線状流路３０と、この直線状流路３０に連設したニードルバルブ保持流路３１を有している。ニードルバルブ保持流路３１は、直線状流路３０よりも大径に形成されている。
【００８６】
また、バルブ筐体１９は、図８に示すように、ニードルバルブ保持流路３１から横方向に分岐して、エアレスガン１に塗料を送り込む分岐状流路３２を備えている。この分岐状流路３２には、塗料保留室３３が連設されている。また、塗料保留室３３には、その上方に直線状流路３４が連設されている。
【００８７】
バルブ筐体１９の直線状流路３０は、供給ホースＰを介して送り込まれた塗料が通過する流路である。この直線状流路３０が存在する部分には、図７に示すように、その外周に雄ネジ溝を設けて、供給ホースＰとの接続部２０を形成している。
【００８８】
また、ニードルバルブ保持流路３１を有している部分は、図８に示すように、全体が所定の長さを有する円筒状に形成されている。さらに、ニードルバルブ保持流路３１の上方部分には、雌ネジ溝を設けている。
【００８９】
このニードルバルブ保持流路３１には、ニードルバルブ１７が進退可能に配置されている。
【００９０】
ニードルバルブ１７は、先端側に円錐突起体４０を備えている。この円錐突起体４０は、図８に示すように、バルブ筐体１９の直線状流路３０に沿って挿入されるものである。
【００９１】
また、円錐突起体４０の基端側には、大径に形成されて基部４１が連設されている。この基部４１は、ニードルバルブ保持流路３１に嵌合するように形成され、その外周に水密用のシール部材２８が巻装されている。
【００９２】
さらに、ニードルバルブ１７の基部４１には、外周に雄ネジ溝を設けているネジ部材２７が連設されている。このネジ部材２７の雄ネジ溝は、図８に示すように、ニードルバルブ保持流路３１の上方部分に設けている雌ネジ溝に螺合するものである。
【００９３】
また、ネジ部材２７の基端側には、細長の棒状体２６が延設されている。この棒状体２６は、図８に示すように、バルブ筐体１９のニードルバルブ保持流路３１から、上方に向けて突出している。
【００９４】
そして、ネジ部材２７の棒状体２６には、摘み部材２５が固定されている。また、図８・図９に示すように、摘み部材２５の下部とバルブ筐体１９の上部間に、バネ１６を配置している。
【００９５】
このバネ１６は、ニードルバルブ１７の緩みを防止するものである。すなわち、塗装作業員が誤って摘み部材２５に軽く接触したり、また、塗装作業時に生じる種々の振動が塗料の吐出量調整機構１８に伝わることにより、ニードルバルブ１７が緩むことがある。その為、摘み部材２５の下部とバルブ筐体１９の上部間にバネ１６を配置し、振動等の影響により摘み部材２５が回転してしまう事態の発生を阻止して、ニードルバルブ１７の緩みを防止しているのである。
【００９６】
この様にして、バルブ筐体１９内において、ニードルバルブ１７は、ネジ式進退構造を形成している。
【００９７】
そして、摘み部材２５を、例えば、右方向に回転させることで、ニードルバルブ保持流路３１におけるニードルバルブ１７を、バルブ筐体１９の下方に移動させる。このとき、図８に示すように、直線状流路３０の端部が、挿入している円錐突起体４０周面により閉じられているときは、ニードルバルブ保持流路３１への塗料の流入がストップした状態となる。
【００９８】
また、塗料の流入がストップした状態から、摘み部材２５を、例えば、左方向に回転させることで、図９に示すように、ニードルバルブ保持流路３１におけるニードルバルブ１７を、バルブ筐体１９の上方に移動させる。
【００９９】
すると、挿入している円錐突起体４０の周面により閉じられている直線状流路３０の端部が、円錐突起体４０の退出により次第に開いた状態となり、それに伴ってニードルバルブ保持流路３１へ塗料が流入し、エアレスガン１に送り込む塗料の量も増えるのである。
【０１００】
この他、バルブ筐体１９において、ニードルバルブ保持流路３１から横方向に分岐した分岐状流路３２、塗料保留室３３、直線状流路３４を備えている部分は、分岐部材５０として独立に構成されている。
【０１０１】
分岐部材５０の分岐状流路３２が存在する部分は、その先端部分の外周に雄ネジ溝を設け、全体として分岐管２２を形成している。また、この分岐管２２の基端部には、塗料保留室３３を有する塗料保留部２１を連設している。さらに、塗料保留部２１の上部には、直線状流路３４を有し、先端部分の外周に雄ネジ溝を設けている接続部２３を形成している。
【０１０２】
この接続部２３は、図２に示すように、接続部材２４を介して、エアレスガン１のグリップ部９内に存在する塗料流路１３に接続されるものである。
【０１０３】
また、グリップ部９内には、フィルター１２が配置されている。このフィルター１２は、金属メッシュにより筒状に形成されており、塗料を濾過し、目詰まりの原因となる固形分やコンタミをカットする機能を有する。
【０１０４】
そして、グリップ部９内の塗料流路１３に送り込まれた塗料は、フィルター１２の内側に入り、濾過されてから、シリンダー２の開口部に流入するのである。
【０１０５】
一方、バルブ筐体１９のニードルバルブ保持流路３１には、直線状流路３０の近傍に、横向きの孔３５を設けている。この孔３５部分において、バルブ筐体１９の外周に分岐接続部材４２を突出するように設けている。分岐接続部材４２は、内周に雌ネジ溝を設けている。
【０１０６】
そして、図８に示すように、ニードルバルブ保持流路３１の孔３５と、分岐部材５０の分岐状流路３２の先端部が合致するように、分岐接続部材４２の雌ネジ溝に、分岐管２２の雄ネジ溝を捩じ込んで、分岐部材５０を取り付けるのである。
【０１０７】
こうしてバルブ筐体１９の直線流路３０、ニードルバルブ保持流路３１から分岐して、エアレスガン１に通じる分岐流路が形成されるのである。
【産業上の利用可能性】
【０１０８】
本発明に係るエアレス塗装装置は、主として高架送電線用の鉄塔の碍子装置金具等を塗装する際に使用しているが、この他にも、橋梁や建設用足場等の種々の部材を塗装する装置として、幅広く利用することができる。
【図面の簡単な説明】
【０１０９】
【図１】ジェットノズルを取り付けているエアレスガンの構成を示す斜視図である。
【図２】ジェットノズルを取り付けているエアレスガンの構成を示す断面図である。
【図３】スプレーノズルを取り付けているエアレスガンの構成を示す分解斜視図である。
【図４】スプレーノズルを取り付けているエアレスガンの構成を示す断面図である。
【図５】スプレーノズルに使用するエアレスチップの構成を示す斜視図である。
【図６】スプレーノズルを取り付けているエアレスガンにおいて、塗料の吐出状態を示す斜視図である。
【図７】バルブ筐体のニードルバルブ保持流路に、ニードルバルブを取り付ける状態を示す分解斜視図である。
【図８】塗料の吐出量調整機構の構成を示すもので、直線状流路の端部が、挿入している円錐突起体の周面により閉じられ、ニードルバルブ保持流路への塗料の流入がストップしている状態を示す断面図である。
【図９】塗料の吐出量調整機構の構成を示すもので、挿入している円錐突起体の周面により閉じられている直線状流路の端部が、円錐突起体の退出により次第に開いた状態となり、それに伴ってニードルバルブ保持流路へ塗料が流入し、エアレスガンに送り込む塗料の量が増えている状態を示す断面図である。
【符号の説明】
【０１１０】
Ｐ…供給ホース
１…エアレスガン
２…シリンダー
３…弁座
４…プランジャー
５…手元バルブ
６…弁バネ
７…ジェットノズル
７ａ…円柱部分
７ｂ…円形突出部分
８…握力式レバー
９…グリップ部
１０…保護枠部
１１…ストッパー部
１２…接続パイプ
１３…塗料流路
１４…枠部
１５…吐出機構
１６…バネ
１７…ニードルバルブ
１８…吐出量調整機構
１９…バルブ筐体
２０…接続部
２１…塗料保留部
２２…分岐管
２３…接続部
２４…接続部材
２５…摘み部材
２６…棒状体
２７…ネジ部材
２８…シール部材
３０…直線状流路
３１…ニードルバルブ保持流路
３２…分岐状流路
３３…塗料保留室
３４…直線状流路
３５…孔
４０…円錐突起体
４１…基部
４２…分岐接続部材
５０…分岐部材
７０…ジョイント部
７０ａ…係合片
８０…スプレーノズル
８１…回転部材
８２…エアレスチップ
８３…孔
８４…円柱状部分
８５…吐出口
８６…操作片
【図１】
2009142725.tif 000003
【図２】
2009142725.tif 000004
【図３】
2009142725.tif 000005
【図４】
2009142725.tif 000006
【図５】
2009142725.tif 000007
【図６】
2009142725.tif 000008
【図７】
2009142725.tif 000009
【図８】
2009142725.tif 000010
【図９】
2009142725.tif 000011